(57)【要約】      （修正有）【課題】上部の係止部がネクタイの結び目の後ろ側で突き出ないため、横方向からその突出部分が見えてしまったり、当該部分が盛り上がって見た目に違和感を生じやすかったりという問題のないネクタイの結び目カバーを提供する。【解決手段】たわみ性のある素材で作製されたほぼ逆三角形のネクタイの結び目を覆うほぼ逆三角形の基部と、該基部の上部と左右の各辺に突出するように形成した係止部とを備え、上部の係止部１３をネクタイの結び目の下端まで延長するとともに、左右の係止部１４，１５の端部にはそれぞれ結合手段を取り付けたネクタイの結び目カバー１１であって、ネクタイの結び目の前面に当接した基部から、上部の係止部１３を折返してネクタイの結び目２２にあてがい、左右の係止部１４，１５を上部の係止部１３の上から折り返してネクタイの結び目２２に互いの結合手段で係止させるようにしたことを特徴とするネクタイの結び目カバー。【選択図】図４
0003188372.tif 000002
【実用新案登録請求の範囲】
【請求項１】
たわみ性のある素材で作製されたほぼ逆三角形のネクタイの結び目を覆うほぼ逆三角形の基部と、該基部の上部と左右の各辺に突出するように形成した係止部とを備え、上部の係止部をネクタイの結び目の下端まで延長するとともに、左右の係止部の端部にはそれぞれ結合手段を取り付けたネクタイの結び目カバーであって、
ネクタイの結び目の前面に当接した基部から、上部の係止部を折返してネクタイの結び目にあてがい、左右の係止部を上部の係止部の上から折り返してネクタイの結び目に互いの結合手段で係止させるようにしたことを特徴とするネクタイの結び目カバー。
【請求項２】
前記ネクタイの結び目カバーの基部および各係止部の素材が、皮革や織布、化粧紙、フェルト、プラスチック製化粧シートから選ばれてなるたわみ性のある素材で作製されていることを特徴とする請求項１に記載のネクタイの結び目カバー。
【請求項３】
前記結合手段が、面ファスナ、一対の磁石、磁石と強磁性体の組合せから選ばれたものであることを特徴とする請求項１または２に記載のネクタイの結び目カバー。
【考案の詳細な説明】
【技術分野】
【０００１】
この考案は、ネクタイの結び目を覆うカバーに関する。
【背景技術】
【０００２】
ネクタイの結び目は、その日その日によって結び目の形や柄の位置が変わってしまい、なかなか上手く結べない場合が多い。
また、グループなどで所定のネクタイをしたときに、使用者の背丈や首の太さによって結び目に所定の柄を全員が出そうとしても上手く柄が揃わない場合がほとんどである。
【０００３】
ちなみに、このような場合に使用するネクタイの結び目カバーとして剛性のある素材からなるものも存在するが、この考案はたわみ性のある素材からなるものであり、この考案のようなたわみ性のある素材からなるものとしては、次のようなものが提案されている。
ａ）ネクタイの結び目を一定させるとともに結び目を汚さないようにすることを目的とし、ほぼ逆三角形のネクタイの結び目を覆うほぼ逆三角形の基部の各辺に係止部を突出形成し、各係止部を折り返して（ホック等で）ネクタイを係止するとともに係止部間にネクタイの通し部を形成したもの（特開平７−３５０９号公報  特許文献１参照）。
ｂ）タイの結び目へ水平方向に巻きつけられる水平帯部と、前記タイの結び目へ垂直方向に巻きつけられる垂直帯部とからなり、前記水平帯部の両端、および前記垂直帯部と前記水平帯部が交差する部位の対向面間に係合手段（面ファスナ）が設けられているもの（実開平２−１０６４２５号公報  特許文献２参照）。
ｃ）前記ｂ）のものとほぼ同様の構造を備え、前記をやや短くしたもの（意匠登録第４０２６５４号公報  特許文献３参照）。
【先行技術文献】
【特許文献】
【０００４】
【特許文献１】特開平７−３５０９号公報
【特許文献２】実開平２−１０６４２５号公報
【特許文献３】意匠登録第４０２６５４号公報
【考案の概要】
【考案が解決しようとする課題】
【０００５】
しかしながら、前記した各特許文献の考案のネクタイの結び目カバーはいずれも、結び目の上から後部へ回して止める係止部もしくは垂直帯部にホックや面ファスナが取り付けられている。そしてこのホックや面ファスナが取り付けられた係止部もしくは垂直帯部は、ネクタイの結び目の後ろ側で突き出てしまう結果となり、横方向からその突出部分が見えてしまったり、当該部分が盛り上がって見た目に違和感を生じさせやすいという問題があった。
【０００６】
そこでこの考案は、結び目の上から後部へ回して止める上部の係止部がネクタイの結び目の後ろ側で突き出てしまうことがなく、横方向からその突出部分が見えてしまったり、当該部分が盛り上がって見た目に違和感を生じやすかったりという問題を解消したネクタイの結び目カバーを提供することを目的とするものである。
【課題を解決するための手段】
【０００７】
すなわちこの考案のネクタイの結び目カバーは、たわみ性のある素材で作製されたほぼ逆三角形のネクタイの結び目を覆うほぼ逆三角形の基部と、該基部の上部と左右の各辺に突出するように形成した係止部とを備え、上部の係止部をネクタイの結び目の下端まで延長するとともに、左右の係止部の端部にはそれぞれ結合手段を取り付けたネクタイの結び目カバーであって、
ネクタイの結び目の前面に当接した基部から、上部の係止部を折返してネクタイの結び目にあてがい、左右の係止部を上部の係止部の上から折り返してネクタイの結び目に互いの結合手段で係止させるようにしたことを特徴とするものである。
【０００８】
この考案のネクタイの結び目カバーにおいて、前記ネクタイの結び目カバーの基部および各係止部の素材は、皮革や織布、化粧紙、フェルト、プラスチック製化粧シートから選ばれてなるたわみ性のある素材で作製されていることを特徴とするものである。
【０００９】
この考案のネクタイの結び目カバーにおいて、前記結合手段は、面ファスナ、一対の磁石、磁石と強磁性体の組合せから選ばれたものであることをも特徴とするものである。
【考案の効果】
【００１０】
この考案は以上のように構成されているので、ネクタイの結び目の表側に基部を当て、係止部をネクタイの結び目の裏側に巻き付けて係合手段で係止することにより、ネクタイの結び目を全部覆って装飾性に優れたカバーとすることができる。
その際、結び目の上から後部へ回して止める上部の係止部がネクタイの結び目の後ろ側で突き出ることがないため、横方向からその突出部分が見えてしまったり、当該部分が盛り上がって見た目に違和感を生じることがなく、すっきりとした装着感を得ることができる。
また、上部の係止部を結び目の上から後部へ回して親指等で抑え、その上で左右の係止部を係合手段で係止することにより、難なく各係止部をネクタイの結び目に装着することができる。
なお、前記係合手段に磁石を用いることにより、左右どちらから係止部を折り込んでも係止することができ、使用者が右利きでも左利きでも無理なく使用することが可能となる。
【図面の簡単な説明】
【００１１】
【図１】この考案のネクタイの結び目カバーの１実施例を示す正面図である。
【図２】その斜視図である。
【図３】ネクタイの結び目に装着しようとする状態を裏側から見た説明図である。
【図４】上部の係止部を折り込み、ネクタイの結び目に装着した状態を裏側から見た説明図である。
【図５】左右の係止部の片方を折り込み、ネクタイの結び目に装着した状態を裏側から見た説明図である。
【図６】左右の係止部の両方を折り込み、ネクタイの結び目に装着した状態を裏側から見た説明図である。
【図７】この考案のネクタイの結び目カバーの他の実施例を示す正面図である。
【図８】上部の係止部を折り込み、ネクタイの結び目に装着しようとする状態を裏側から見た説明図である。
【考案を実施するための形態】
【００１２】
以下にこの考案のネクタイの結び目カバーの実施の形態を図面を用いて詳細に説明する。
図１ないし図６はこの考案のネクタイの結び目カバーの１実施例を示すものであり、図において、ネクタイの結び目カバー１１は、ほぼ逆三角形のネクタイの結び目を覆うほぼ三角形の基部１２と、該基部１２の上部と左右の各辺に突出させて形成した上部の係止部１３と左右の係止部１４、１５とを備えている。
【００１３】
その上で、前記上部の係止部１３はネクタイ２１の結び目２２の下端まで延長してある。したがって、ネクタイ２１の結び目２２の前面に当接した基部１２から、上部の係止部１３を折返してネクタイ２１の結び目２２にあてがい、これを親指等で挟み付ければ、結び目カバー１１はネクタイ２１の結び目２２の両側から確実に指で挟み付けることができる。
【００１４】
左右の係止部１４，１５の端部にはそれぞれ結合手段が取り付けてある。この結合手段は、面ファスナ、一対の磁石、磁石と強磁性体の組合せから適宜選ぶことができる。図では面ファスナ１６が採用されている。
したがって、左右の係止部１４，１５を上部の係止部１３の上から折り返し、ネクタイの結び目に前記面ファスナ１６で係止させることにより、ネクタイの結び目カバー１１をネクタイの結び目にコンパクトでかつ見映え良く装着することができる。
【００１５】
この考案のネクタイの結び目カバーにおいて、前記ネクタイの結び目カバー１１の基部１２および各係止部１３，１４，１５の素材は、それぞれステッチ処理を施した皮革や織布、化粧紙、フェルト、プラスチック製化粧シートから適宜選ぶことができるが、いずれにしても、たわみ性のある素材で作製されていることが必要である。
【００１６】
上記実施例は以上のように構成されているので、ネクタイ２１の結び目２２の表側に基部１２を当て、係止部１３，１４，１５をネクタイ２１の結び目２２の裏側に巻き付けて係合手段で係止することにより、ネクタイ２１の結び目２２を全部覆って装飾性に優れたカバーとすることができる。
【００１７】
その際、前記結び目２２の上から後部へ回して止める上部の係止部１３がネクタイ２１の結び目２２の後ろ側で突き出ることがないため、横方向からその突出部分が見えてしまったり、当該部分が盛り上がって見た目に違和感を生じることがなく、すっきりとした装着感を得ることができる。
また、上部の係止部１３を結び目２２の上から後部へ回して親指等で抑え、その上で左右の係止部１４，１５を面ファスナ１６で係止することにより、難なく各係止部１３，１４，１５をネクタイ２１の結び目２２に装着することができる。
しかも、左右の係止部１４，１５を面ファスナ１６で係止するにあたってはその係合位置を調整することができ、ネクタイ２１の結び目２２が細身であっても太めのものであっても自在に対応することができ、すっきりと装着することができて装飾性を損なうことがない。
【００１８】
図７および図８はこの考案のネクタイの結び目カバーの他の実施例を示すものであり、この例でもネクタイの結び目カバー１１は、ほぼ逆三角形のネクタイの結び目を覆うほぼ三角形の基部１２と、該基部１２の上部と左右の各辺に突出させて形成した上部の係止部１３と左右の係止部１４、１５とを備えている。
【００１９】
もちろん、前記上部の係止部１３はネクタイ２１の結び目２２の下端まで延長してある。したがって、ネクタイ２１の結び目２２の前面に当接した基部１２から、上部の係止部１３を折返してネクタイ２１の結び目２２にあてがい、これを親指等で挟み付ければ、結び目カバー１１はネクタイ２１の結び目２２の両側から確実に指で挟み付けることができる。
【００２０】
この実施例においては、左右の係止部１４，１５の端部には磁石３１と強磁性体３２の組合せから結合手段が取り付けてある。
このように、前記係合手段として磁石３１と強磁性体３２の組合せを用いることにより、左右どちらから係止部１４，１５を折り込んでも係止することができる。
したがって、使用者が右利きでも左利きでも無理なく使用することが可能となる。
【産業上の利用可能性】
【００２１】
前記したところではネクタイの結び目を覆うネクタイの結び目カバーについて説明したが、首に巻き付けて使用するタイプであって結び目のあるものであれば何らネクタイの用途に限定されるものではない。
【符号の説明】
【００２２】
１１  ネクタイの結び目カバー
１２  基部
１３  上部の係止部
１４，１５  左右の係止部
１６  面ファスナ
２１  ネクタイ
２２  結び目
３１  磁石
３２  強磁性体
【図１】
0003188372.tif 000003
【図２】
0003188372.tif 000004
【図３】
0003188372.tif 000005
【図４】
0003188372.tif 000006
【図５】
0003188372.tif 000007
【図６】
0003188372.tif 000008
【図７】
0003188372.tif 000009
【図８】
0003188372.tif 000010